(57)【要約】【課題】利得が大きく、小型化できるアンテナ、および充分な受信感度を有し、小型化できる電波時計の実現。【解決手段】磁性材料のコア（磁心）を具えるアンテナ１１において、磁心３の一端３ａまたは両端の断面積を大きくする。あるいは、磁心３に接して磁心より断面積の大きい別の磁性体１２を設ける。これにより電波による磁界の磁束が磁心３単独の場合より多く捕捉され、この磁束が磁心を通過すると、コイル中で磁力線密度が増大し、アンテナの受信感度が向上する。【選択図】  図２
2004274609.tif 000002
【特許請求の範囲】
【請求項１】
コイルと、前記コイルの軸に沿って設けられた、磁性材料から成る磁心を具え、電波を受信又は送信するアンテナ装置において、
前記磁心は、前記軸の方向における少なくとも一端付近では、他の部分より大きい断面積を有することを特徴とするアンテナ装置。
【請求項２】
コイルと、前記コイルの軸に沿って設けられた、磁性材料から成る磁心を具え、電波を受信又は送信するアンテナ装置において、
前記磁心に接して又は前記磁心の近傍に、通過する磁力線が前記磁心をも通過しうるように別の磁性体を配置し、前記磁心を通過する磁力線の磁束密度が前記磁性体中よりも大になるように構成されていることを特徴とするアンテナ装置。
【請求項３】
前記磁性体は、前記磁心より大なる断面積を有することを特徴とする請求項２記載のアンテナ装置。
【請求項４】
前記磁性体は、前記磁心の両側に設けられていることを特徴とする請求項２記載のアンテナ装置。
【請求項５】
前記磁性体は、前記電波の磁界によらないで励磁されていることを特徴とする請求項２から４のいずれかに記載のアンテナ装置。
【請求項６】
前記磁性体は、永久磁石であることを特徴とする請求項５記載のアンテナ装置。
【請求項７】
コイルと、前記コイルの軸に沿って設けられ、磁性材料から成る磁心とを具え、電波を受信するアンテナ部と、前記アンテナ部で受信された前記電波に含まれる時刻信号を利用して、保有する時刻情報を修正する時刻情報修正部とから成る電波時計において、
前記磁心は、前記軸の方向における少なくとも一端付近では、他の部分より大きい断面積を有することを特徴とする電波時計。
【請求項８】
コイルと、前記コイルの軸に沿って設けられ、磁性材料から成る磁心とを具え、電波を受信するアンテナ部と、前記アンテナ部で受信された前記電波に含まれる時刻信号を利用して、保有する時刻情報を修正する時刻情報修正部とから成る電波時計において、
前記アンテナ部は、前記磁心に接して又は前記磁心の近傍に、通過する磁力線が前記磁心をも通過しうるように別の磁性体を配置し、前記磁心を通過する磁力線の磁束密度が前記磁性体中よりも大になるように構成されていることを特徴とする電波時計。
【請求項９】
前記アンテナ部は、外界の磁界に応じて利得の調整を行う受信回路部を含むことを特徴とする請求項７又は８記載の電波時計。
【請求項１０】
前記受信回路部は、前記アンテナ部の共振周波数に応じた磁界を発生させる磁界発生部を含むことを特徴とする請求項９記載の電波時計。
【請求項１１】
コイルと、前記コイルの軸に沿って設けられ、磁性材料から成る磁心とを具え、電波を受信するアンテナ部と、前記アンテナ部で受信された電波に含まれる時刻信号を利用して、保有する時刻情報を修正する時刻情報修正部とから成る電波時計と、前記電波時計を分離可能に格納する格納部とから成る電波時計収容体において、
前記アンテナ部は、前記磁心に接して又は前記磁心の近傍に、磁力線の少なくとも一部が前記磁心をも通過しうるように配置した別の磁性体を具え、前記磁心を通過する磁力線の磁束密度が前記磁性体中よりも大になるように構成され、
前記磁性体の少なくとも一部は前記格納部に含まれることを特徴とする電波時計収容体。
【請求項１２】
前記磁性体は、前記格納部に全体が含まれることを特徴とする請求項１１記載の電波時計収容体。
【請求項１３】
コイルと、前記コイルの軸に沿って設けられ、磁性材料から成る磁心とを具え、信号を含む電波を受信するためのアンテナ部と、前記電波に含まれる前記信号を処理する信号処理部とから成る信号受信装置において、
前記アンテナ部は、前記磁心に接して又は前記磁心の近傍に、通過する磁力線の少なくとも一部が前記磁心をも通過しうるように配置した別の磁性体を具え、前記磁心を通過する磁力線の磁束密度が前記磁性体中よりも大になるように構成されたことを特徴とする信号受信装置。
【請求項１４】
コイルと、前記コイルの軸に沿って設けられ、磁性材料から成る磁心とを具え、信号を含む電波を受信するためのアンテナ部と、受信された前記電波に含まれる前記信号を処理する信号処理部と、前記信号処理部とを含む信号受信装置と、前記信号受信装置を分離可能に収納する格納部とから成る受信装置収容体において、
前記アンテナ部は、前記磁心に接して又は前記磁心の近傍に、通過する磁力線の少なくとも一部が前記磁心をも通過しうるように配置した別の磁性体を具え、前記磁心を通過する磁力線の磁束密度が前記磁性体中よりも大になるように構成され、
前記磁性体の少なくとも一部が前記格納部に含まれることを特徴とする受信装置収容体。
【発明の詳細な説明】
【０００１】
【発明の属する技術分野】
本発明はアンテナ装置、電波時計、電波時計収容体、信号受信装置および受信装置収容体に関し、特に小型化でき、しかも受信感度のすぐれたアンテナ装置、それを用いた、小型化が可能な信号受信装置、特に電波時計、電波時計の受信感度を向上させる電波時計収容体、および受信装置の受信感度を向上させる受信装置収容体に関する。
【０００２】
【従来の技術】
定時報知信号等の時刻情報を含む電波を受信し、それにより表示時刻を修正する時計が普及しつつあり、電波時計と呼ばれている。電波時計の時刻修正には、通常、周波数が４０または６０ｋＨｚの、長波に属する電波が用いられ、このような電波は標準電波と呼ばれている。
【０００３】
従来の電波時計には、磁性材料を用いたアンテナをケース内に設け、標準電波を受信するものが、例えば、後に示す特許情報１に従来技術として開示されている。
【０００４】
図１０は、特許文献１に従来技術として開示された電波時計を示す。この電波時計１００では、文字盤１０１の０時側に接して設けられたアンテナケース１０２に、コイルアンテナ１０３が収められている。
【０００５】
図１１は上記の電波時計のコイルアンテナ１０３の詳細を示す。コイル１０５にコア１０４が挿入されており、コア１０４はフェライトの棒（ロッド）で、コイル１０５の巻線はその回りに数百回巻かれている。コア１０４の長さＬは短くて１ｃｍくらい、直径Ｄは５ないし１０ｍｍであると記載されている。
【０００６】
図１２は、上記のコイルアンテナ１０３の断面を示している。磁束１０６がコア１０４を通過し、これにより、磁界のエネルギーはコイル１０５に電力として変換される。
【０００７】
【特許文献１】
特開平１０−６８７８５号公報  図１７等
【０００８】
【発明が解決しようとする課題】
しかし、従来の電波時計によると、出力１ｋＷの標準電波ＪＧ２ＡＳを半径５００ｋｍまでの距離で受信するための感度を確保するには、インピーダンスの増大を避ける必要から、コイル１０５の直径Ｄを最小限５ｍｍ程度とする必要があるため、コア１０４に一定以上の断面積が必要になって、コイルアンテナが大型化するという問題がある。なお、現在では標準電波ＪＪＹが空中線電力５０ｋＷ、実効輻射電力１０ｋＷで送信されているが、このような状況でも、依然として上記の問題を有している。
【０００９】
その結果、上述の従来の電波時計では、コイルアンテナの小型化、従って電波時計自体の小型化が困難であった。
【００１０】
それ故本発明の目的は、利得が大きく、小型化できる送受信アンテナ装置を実現することにある。
【００１１】
また、本発明の目的は、小型化されても充分な受信感度を有する電波時計を実現することにある。
【００１２】
さらに、本発明の目的は、小型化された電波時計の標準電波に対する受信感度を高めることができる、電波時計収容体を実現することにある。
【００１３】
本発明の他の目的は、アンテナ部が小型化されても、充分な受信感度を有する信号受信装置を実現することにある。
【００１４】
本発明の別の目的は、小型化された信号受信装置を収容し、受信感度を向上させる受信装置収容体を実現することにある。
【００１５】
【課題を解決するための手段】
上記目的を達するため、本発明のアンテナ装置は、コイルと、前記コイルの軸に沿って設けられた、磁性材料から成る磁心を具え、電波を受信又は送信するアンテナ装置において、前記磁心は、前記軸の方向における少なくとも一端付近では、他の部分より大きい断面積を有することを特徴とする。ここで言う断面積とは、磁心のコイルの軸に垂直な断面の面積を意味する。
【００１６】
また、上記目的を達するため、本発明のアンテナ装置は、コイルと、前記コイルの軸に沿って設けられた、磁性材料から成る磁心を具え、電波を受信又は送信するアンテナ装置において、前記磁心に接して又は前記磁心の近傍に、通過する磁力線が前記磁心をも通過しうるように別の磁性体を配置し、前記磁心を通過する磁力線の磁束密度が前記磁性体中よりも大になるように構成されていることを特徴とする。磁性体は磁心と一体でも良い。ここで、磁心を通過する磁力線とは、受信又は送信する電波の磁界に由来する磁力線を意味する。
【００１７】
また、上記の目的を達するため、本発明の電波時計は、コイルと、前記コイルの軸に沿って設けられ、磁性材料から成る磁心とを具え、電波を受信するアンテナ部と、前記アンテナ部で受信された前記電波に含まれる時刻信号を利用して、保有する時刻情報を修正する時刻情報修正部とから成る電波時計において、前記磁心は、前記軸の方向における少なくとも一端付近では、他の部分より大きい断面積を有することを特徴とする。
【００１８】
また、上記目的を達するため、本発明の他の電波時計は、コイルと、前記コイルの軸に沿って設けられ、磁性材料から成る磁心とを具え、電波を受信するアンテナ部と、前記アンテナ部で受信された前記電波に含まれる時刻信号を利用して、保有する時刻情報を修正する時刻情報修正部とから成る電波時計において、前記アンテナ部は、前記磁心に接して又は前記磁心の近傍に、通過する磁力線が前記磁心をも通過しうるように別の磁性体を配置し、前記磁心を通過する磁力線の磁束密度が前記磁性体中よりも大になるように構成されていることを特徴とする。
【００１９】
また、上記目的を達するため、本発明の電波時計収容体は、コイルと、前記コイルの軸に沿って設けられ、磁性材料から成る磁心とを具え、電波を受信するアンテナ部と、前記アンテナ部で受信された電波に含まれる時刻信号を利用して、保有する時刻情報を修正する時刻情報修正部とから成る電波時計と、前記電波時計を分離可能に格納する格納部とから成る電波時計収容体において、前記アンテナ部は、前記磁心に接して又は前記磁心の近傍に、磁力線の少なくとも一部が前記磁心をも通過しうるように配置した別の磁性体を具え、前記磁心を通過する磁力線の磁束密度が前記磁性体中よりも大になるように構成され、前記磁性体の少なくとも一部は前記格納部に含まれることを特徴とする。格納部に含まれるとは、格納部と一体化され、格納部の部分を構成することを意味する。
【００２０】
また、上記目的を達するため、本発明の信号受信装置は、コイルと、前記コイルの軸に沿って設けられ、磁性材料から成る磁心とを具え、信号を含む電波を受信するためのアンテナ部と、前記電波に含まれる前記信号を処理する信号処理部とから成る信号受信装置において、前記アンテナ部は、前記磁心に接して又は前記磁心の近傍に、通過する磁力線の少なくとも一部が前記磁心をも通過しうるように配置した別の磁性体を具え、前記磁心を通過する磁力線の磁束密度が前記磁性体中よりも大になるように構成されたことを特徴とする。
【００２１】
また、上記目的を達するため、本発明の受信装置収容体は、コイルと、前記コイルの軸に沿って設けられ、磁性材料から成る磁心とを具え、信号を含む電波を受信するためのアンテナ部と、受信された前記電波に含まれる前記信号を処理する信号処理部と、前記信号処理部とを含む信号受信装置と、前記信号受信装置を分離可能に収納する格納部とから成る受信装置収容体において、前記アンテナ部は、前記磁心に接して又は前記磁心の近傍に、通過する磁力線の少なくとも一部が前記磁心をも通過しうるように配置した別の磁性体を具え、前記磁心を通過する磁力線の磁束密度が前記磁性体中よりも大になるように構成され、前記磁性体の少なくとも一部が前記格納部に含まれることを特徴とする。
【００２２】
磁心に接してまたはその近傍に、通過する磁力線の少なくとも一部が磁心をも通過しうるように配置した別の磁性体を、以下、単に磁性体と言う。
【００２３】
磁性体を通過する磁力線の一部が磁心を通過しても良いが、大部分が、特に全部が、通過することが好ましい。磁性体は、それを通過する磁力線の大部分が磁心をも通過するように、磁心の軸の延長上に設けることが好ましい。磁心の片側に設けても良いが、磁心をはさんで両側に設けることが好ましい。
【００２４】
磁性体は、透磁率が磁心と同じなら、磁力線に対して磁心より大きい垂直断面積をもつことが好ましい。これにより、電波の磁界の中で、磁心単独の場合より多くの磁力線が磁性体に捕捉され、これらの磁力線が、磁性体に接し又は近傍に位置する磁心に導入されるので、磁心中の磁束密度が磁心単独の場合よりも大きくなる。
【００２５】
もし磁束に対して磁性体の垂直断面積が磁心より小さい場合には、磁性体に捕捉される磁力線が磁心単独より少ない（磁心と透磁率が同じならば）ので、磁心中での磁束密度は磁性体中よりも小さくなる。
【００２６】
磁心に付属させる磁性体の形状は、棒状、円柱（盤）状、平板状、半円状等のいずれでも良い。
【００２７】
磁性体の透磁率は大きいことが好ましい。磁性体の透磁率が十分大であれば、磁力線に対する幾何学的断面積が磁心と同じでも、磁心中の磁束密度を磁心単独の場合より大きくすることができる。
【００２８】
アンテナ部の磁心を構成する材料は、フェライトでも、アモルファス磁性材料でも良い。磁心の形状は、棒状、平板状等のいずれでも良い。磁心は複数に分割されていても良い。
【００２９】
磁性体はそれ自体磁力を有するように励磁されていてもよく、この場合、永久磁石、電磁石のいずれを構成しても良い。磁性体は時計等の電源電池を兼ねても良い。
【００３０】
磁心の軸方向の両端付近の断面積を中央付近より大きくした場合、または両端に接して磁心よりも大きい断面積の磁性体を配置した場合は、磁心と磁性体の組み合わせはバーベル状となり、一端の断面積を中央付近より大きくした場合、または片側に磁性体を配置した場合は、見かけがボルト状となる。磁心の軸方向とは一般に、磁心のまわりに巻かれたコイルの軸の方向であり、磁心の長手方向とは限らない。
【００３１】
本発明のアンテナ装置は、標準時刻信号を搬送する時刻標準電波を利用して、内蔵する時刻情報を修正する、いわゆる「電波時計」に有用である。電波時計のアンテナに本発明を適用した場合、アンテナの受信感度を高めるために磁心に付属させる磁性体は、時計の中に内蔵しても良いが、時計を収納するためのクレードル等の収納容器に装着しても良い。このようなアンテナの形態は、電波時計に限らず、それ以外の信号受信装置にも適用できる。
【００３２】
磁束に対し磁心より大きい断面積をもつ別の磁性体を、一端又は両端の断面積を大きくした磁心に接して又は接近して、付設しても良い。磁束に対し断面積の大きい磁性体の代わりに、断面積は同じでも磁心より高い透磁率を有する磁性体を用いても良い。
【００３３】
【発明の実施の形態】
以下に、本発明の実施の形態を示す。
【００３４】
図１は本発明の第１の実施の形態に係るアンテナを示す。アンテナ１は、コイル２および磁心３から成る。磁心３はフェライトより成り、軸に垂直な断面積の大きい頭部３ａを有する。すなわちボルト状である。断面積の大きい頭部３ａを有する磁心３は、それがない場合に比して、電波による磁界の磁束がより多く捕捉されるので、コイル２に誘導される起電力が増大し、アンテナの受信感度が高まる。
【００３５】
図２は第２の実施の形態に係るアンテナを示す。アンテナ１１は、コイル２、磁心３、磁性体１２から成り、磁心３は図１のものと同じ材質、構造を有する。磁心３の断面積の大きい頭部３ａとは反対側に接して、磁性体１２が設けられている。磁性体１２は、コイル２および磁心３の軸に対し磁心３の頭部３ａよりさらに大きい断面積を有する。磁心３の頭部３ａと反対側に、磁心３に接して磁性体１２を設けたことにより、図１のアンテナよりさらに高い受信感度が得られる。それは、磁心３に接して設けた断面積の大きい磁性体１２によって、電波による磁界の磁束が磁心３単独の場合より多く捕捉され、この磁束が磁心を通過するので、磁心を通過する磁力線の磁束密度が増大するためである。磁性体１２と頭部３ａとは若干離れていても良い。
【００３６】
図３（ａ）および（ｂ）は、第３の実施の形態として、図２に示した構造のアンテナを有する電波時計を示す。図３（ａ）は平面図、図３（ｂ）はＸ−Ｘ断面の説明図である。電波時計１５は、時計文字盤１６、ケーシング１７、時計バンド１８から成る。便宜上、機械部の図示を省略した。アンテナ１１は図示しない機械部とともにケーシング１７に組み込まれており、磁心３の頭部３ａは時計文字盤１６の０時側の外側に露出し、より広い面積をもつ磁性体１２はケーシング１７の裏側（文字盤１６と反対側）に位置する。この電波時計の標準電波に対する受信感度は、単なる棒状のフェライト磁心を用いた場合より、最大５ｄＢ程度高い感度を示す。
【００３７】
図４は、第４の実施の形態に係るアンテナを示す。アンテナ２１はコイル２および磁心２３から成る。磁心２３は、磁心３と同様フェライトより成るが、両端に軸に垂直な断面積の大きい部分２３ａおよび２３ｂを有する。すなわち、バーベル状である。両端部で断面積を大きくした磁心２３は、そうでない場合に比して、電波による磁界の磁束をより多く捕捉し、コイル２に誘導される起電力が増大するので、アンテナの受信感度が高まる。
【００３８】
図５は、第５の実施の形態に係る電波時計を示す。電波時計のアンテナはケーシング３１の内部に、図示しない機械本体とともに組み込まれ、コイル３２と、円柱形の磁心３３と、２個の円弧状の磁性体３４ａ，３４ｂから成る。コイル３２と磁心３３はケーシング３１の中央部に、磁性体３４ａ，３４ｂはケーシング３１の内側に接して設けられている。磁心３３の両端近くに磁性体３４ａ，３４ｂを設けることにより、それがない場合に比して、電波による磁界の磁束がより多く捕捉され、この磁束が磁心３３を通過するので、磁心３３を通過する磁力線の磁束密度が増大し、アンテナの受信感度が高くなる。
【００３９】
図６は、第６の実施の形態に係る電波時計を示す。図５の電波時計の円柱形の磁心３３の代わりに、図４に示したような、両端に断面積の大きい部分４３ａ，４３ｂをもつ磁心４３を用いている。その他は、図５の電波時計と同じである。
【００４０】
図７は、第７の実施の形態に係る電波時計収容体を示す。電波時計５１は、便宜上図示しない機械部、時計文字盤５６、ケーシング５７、時計バンド５８から成り、アンテナはコイル５２と円柱状の磁心５３を有する。磁心５３はケーシング５７内に、時計文字盤５６の下に、０時と６時を結ぶ線の方向に配置されている。クレードル５９は電波時計５１を格納する格納具で、電波時計５１は、使用時にはクレードル５９から取り外して使用し、就寝中など使用しないときはクレードル５９に載せて格納する。クレードル５９には磁心５３の両端に重なる位置に、円盤状のフェライト板５４ａおよび５４ｂが埋設されている。フェライト板５４ａおよび５４ｂはアンテナの補助部材となっており、コイル５２と磁心５３とともにアンテナを構成している。磁心５３の両端近くに設けた面積の広い磁性体５４ａ，５４ｂにより、それがない場合よりも電波による磁界の磁束が多く捕捉され、この磁束が磁心５３を通過するので、磁心５３を通過する磁力線の磁束密度が増大し、アンテナの受信感度が高くなる。
【００４１】
図８は、第８の実施の形態に係る電波時計収容体を示す。電波時計６１は、便宜上図示しない機械部、時計文字盤５６、ケーシング５７、時計バンド５８から成り、アンテナはコイル６２と円柱状の磁心６３を有する。磁心６３はケーシング５７内に、時計文字盤５６の３時と９時を結ぶ線の方向に、直径のほぼ全体にわたって配置されている。クレードル６９には、図７の磁性体５４ａ，５４ｂの代わりに、磁心６３の両端に重なる位置に、半円形のフェライト板６４ａおよび６４ｂが埋設されている。なお、フェライト板６４ａおよび６４ｂは、一部がクレードル６９に埋設され、クレードル６９から露出した部分が電波時計６１のケーシング５７を包囲するように形成されても良い。磁性体６４ａ，６４ｂにより、それがない場合よりも電波による磁界の磁束が多く捕捉され、この磁束が磁心６３を通過するので、磁心６３を通過する磁力線の磁束密度が増大し、磁心６３のみから成る場合よりもアンテナの受信感度が高くなる。また、上記した電波時計に代えて、時刻の表示部を持たずに電波の受信および計時動作を行う無線タグ等の信号受信装置であっても良い。
【００４２】
図９（ａ）は、第９の実施の形態として、図２に示した電波時計のアンテナ１１を含む受信回路部を示す。受信回路部は、アンテナ１１、コンデンサ７２、電力増幅部７３、およびチューニング回路７４から成る。アンテナ１１のコイル２とコンデンサ７２は、ＬＣの並列共振回路を構成している。アンテナ１１は４０ｋＨｚの標準電波を受信して、磁界変化に基づく電力を出力する。この電力は電力増幅部７３で増幅され、チューニング回路７４を経て出力され、図示しない信号処理部で処理される。信号処理部は、受信した標準電波に基づいて電波時計の時刻情報を修正する。
【００４３】
アンテナ１１とコンデンサ７２からなる並列共振回路の共振周波数（同調周波数）は、外界近傍に置かれた金属・磁性体当の影響で所望の周波数（例えば、４０ｋＨｚ）からずれることがある。
【００４４】
図９（ｂ）は、第１０の実施の形態として、図２に示した電波時計のアンテナ１１を含む受信回路部を示す。受信回路部は、図９（ａ）の構成に加えて磁界発生部７５を構成するコイル２Ａと磁心３Ａを有する。チューニング回路部７４は、図示しない構成として４０ｋＨｚの基準発振回路を内蔵しており、コイル２Ａはチューニング回路部７４によって通電される。また、図９（ｂ）の受信回路部は、ＬＣの並列共振回路を構成する容量可変型のコンデンサ７２Ａを設ける構成において図９（ａ）の構成と相違している。
【００４５】
第１０の実施の形態によると、チューニング回路部７４は、内蔵した基準発振回路によって随時基準発振を動作させることにより４０ｋＨｚの磁界を発生させる。また、チューニング回路部７４は、アンテナ１１からの信号を検出して最大の出力が得られるようにコンデンサ７２Ａを調整することで、常に安定した受信状態を得ることができる。
【００４６】
なお、上記した第１０の実施の形態では、コンデンサ７２Ａをアンテナ１１に設けた構成を説明したが、例えば、コンデンサの可変容量部分をチューニング回路部７４に内蔵させても良い。また、チューニング回路部７４に基準発振回路を内蔵させずに外界の磁界の変化に対して最大の出力が得られるように容量可変型のコンデンサを調整する構成としても良い。
【００４７】
【発明の効果】
本発明によると、コイルと、コイルの軸に沿って設けられた、磁性材料から成る磁心を具えるアンテナ装置の磁心の、コイルの軸の方向における少なくとも一端付近では、その断面積を他の部分よりも大きくすることにより、利得が大きく、小型化できる送受信アンテナ装置が実現される。これは、受信の場合、端部の断面積の大きい磁心は、それがない場合に比して、電波による磁界の磁束をより多く捕捉するので、コイルに誘導される起電力が増大するためである。送信の場合、コイルの電流により磁心の中央付近に生ずる磁束が断面積の大きい端部で拡がり、そこから放射されるので、より強い磁界を空間に形成する。
【００４８】
また本発明によると、コイルと、コイルの軸に沿って設けられた、磁性材料から成る磁心を具えるアンテナ装置において、磁心に接して又はその近傍に、通過する磁力線の少なくとも一部が磁心を通過しうるように磁性体を配置し、磁心を通過する磁力線の磁束密度が磁性体中よりも大になるように構成することにより、利得が大きく、小型化できる送受信アンテナ装置が実現される。これは、磁心に接して又は近傍に断面積の大きい磁性体を設けることにより、受信の場合、電波による磁界の磁束がより多く捕捉され、磁心を磁束密度の高い磁力線が通過するため、受信感度が高くなることによる。送信の場合には、コイルの電流により磁心に生じる磁束が断面積の大きい磁性体中に拡がり、そこから放射されるので、より強い磁界を空間に形成する。
【００４９】
さらに本発明によると、アンテナで受信された電波に含まれる時刻信号によって、保有する時刻情報を修正する電波時計において、アンテナの磁性材料から成る磁心の、コイルの軸の方向における少なくとも一端付近では、磁心の断面積を他の部分よりも大きくすることにより、小型化されても充分な受信感度を有する電波時計が実現される。
【００５０】
また本発明によると、アンテナで受信された電波に含まれる時刻信号により、保有する時刻情報を修正する電波時計において、磁心に接して又は磁心の近傍に、通過する磁力線の少なくとも一部が磁心をも通過しうるように配置した他の磁性体を設け、磁心を通過する磁力線の磁束密度が磁性体中よりも大になるように構成することにより、小型化されても充分な受信感度を有する電波時計が、実現される。
【００５１】
さらに本発明によると、磁心を具えるアンテナ装置と、アンテナ装置に受信された時刻信号を利用して時刻情報を修正する電波時計と、収納部材とから成る電波時計収容体において、アンテナ装置の磁心に接して又は磁心の近傍に、磁力線の少なくとも一部が磁心をも通過しうるように配置した別の磁性体を設け、磁心を通過する磁力線の磁束密度が磁性体中よりも大になるように構成し、収納部材が磁性体の少なくとも一部を含むようにしたことにより、電波時計を本発明の電波時計収容体に収容すると、小型化されたアンテナ装置でも、弱電界の下で標準電波により確実に電波時計の時刻修正をすることが可能になる。
【００５２】
電波時計以外の信号受信装置についても、同様の構造のアンテナ装置を具え、収納部材が磁心とは別の磁性体の少なくとも一部を含むようにした本発明の信号受信装置収容体は、信号受信装置の小型化と高い受信感度を両立させることができる。
【図面の簡単な説明】
【図１】本発明の第１の実施の形態に係るアンテナの断面説明図である。
【図２】本発明の第２の実施の形態に係るアンテナの断面説明図である。
【図３】本発明の第３の実施の形態に係る電波時計の（ａ）平面図および  （ｂ）断面説明図である。
【図４】本発明の第４の実施の形態に係るアンテナの断面説明図である。
【図５】本発明の第５の実施の形態に係る電波時計の断面説明図である。
【図６】本発明の第６の実施の形態に係る電波時計の断面説明図である。
【図７】本発明の第７の実施の形態に係る電波時計収容体の斜視図である。
【図８】本発明の第８の実施の形態に係る電波時計収容体の斜視図である。
【図９】（ａ）は、本発明の第９の実施の形態に係る電波時計の受信回路部の回路ブロック図、（ｂ）は、本発明の第１０の実施の形態に係る電波時計の受信回路部の回路ブロック図である。
【図１０】従来の電波時計の斜視図である。
【図１１】従来の電波時計のコイルアンテナの斜視図である。
【図１２】従来のコイルアンテナの断面説明図である。
【符号の説明】
１    アンテナ
２    コイル
２Ａ  コイル
３    磁心
３Ａ  磁心
３ａ  頭部
１１    アンテナ
１２    磁性体
１５    電波時計
１６    時計文字盤
１７    ケーシング
１８    時計バンド
２１    アンテナ
２３    磁心
２３ａ，２３ｂ  断面積の大きい部分
３１    ケーシング
３２    コイル
３３    磁心
３４ａ，３４ｂ  磁性体
４３    磁心
４３ａ，４３ｂ  断面積の大きい部分
５１    電波時計
５２    コイル
５３    磁心
５４ａ，５４ｂ  フェライト板
５６    時計文字盤
５７    ケーシング
５８    時計バンド
５９    クレードル
６１    電波時計
６２    コイル
６３    磁心
６４ａ，６４ｂ  フェライト板
６９    クレードル
７１    受信回路部
７２    コンデンサ
７２Ａ        容量可変型コンデンサ
７３    電力増幅部
７４    チューニング回路部
７５    磁界発生部
１００    電波時計
１０１    文字盤
１０２    アンテナケース
１０３    コイルアンテナ
１０４    コア
１０５    コイル
【図１】
2004274609.tif 000003
【図２】
2004274609.tif 000004
【図３】
2004274609.tif 000005
【図４】
2004274609.tif 000006
【図５】
2004274609.tif 000007
【図６】
2004274609.tif 000008
【図７】
2004274609.tif 000009
【図８】
2004274609.tif 000010
【図９】
2004274609.tif 000011
【図１０】
2004274609.tif 000012
【図１１】
2004274609.tif 000013
【図１２】
2004274609.tif 000014